(57)【要約】【課題】行先階登録操作の簡素化及び目的階への円滑な運用を確保することにある。【解決手段】乗りかご内に、テナント名が記載されるテナントごとのテナント案内センサ及びこれらセンサに対応させて取り付けられる照明灯１３とを有する案内板２を設置し、所要とするテナントに対応するテナント案内センサ選択時に制御盤３を介して当該テナント階を行先階として登録するとともに、案内板２のテナント対応の照明灯を点灯し、所要とするテナント名が記載されるテナント案内センサを照光することにより、エレベータ利用者が確実に所要のテナント階を登録したことを確認し、テナント階に行くことを把握可能にしたエレベータのかご操作機能をもつ館内案内装置である。【選択図】    図２
2004161434.tif 000002
【特許請求の範囲】
【請求項１】
エレベータの乗りかご内に設置され、テナント名が記載されるテナントごとのテナント案内センサ及びこれらセンサに対応させて取り付けられる照明灯とを有する案内板と、
所要とするテナントに対応する前記テナント案内センサが選択されたとき、当該テナントの行先階の登録及び当該テナント対応の照明灯を点灯させ、当該テナントに対応するテナント案内センサを照光する手段と
を備えたことを特徴とするエレベータのかご操作機能をもつ館内案内装置。
【請求項２】
エレベータの乗りかご内に設置され、テナント名が記載されるテナントごとのテナント案内センサ及びこれらセンサに対応させて取り付けられる第１、第２の照明灯とを有する案内板と、
常時は前記第１の照明灯が点灯され、所要とするテナントに対応する前記テナント案内センサが選択されたとき、当該テナントの行先階の登録及び当該テナント対応の第２の照明灯を点灯させ、当該テナントに対応するテナント案内センサを照光する手段と
を備えたことを特徴とするエレベータのかご操作機能をもつ館内案内装置。
【請求項３】
エレベータの乗りかご内又はエレベータの乗場に設置され、テナント名が記載されるテナントごとのテナント案内センサ及びこれらセンサに対応させて取り付けられる第１、第２の照明灯とを有する案内板と、
テナント側に設置され、当該テナントの業務の開始及び終了に伴なう点灯・消灯要求信号を出力する業務報知ボックスと、
この業務報知ボックスからの点灯・消灯要求信号に応じて前記案内板の第１の照明灯を点灯・消灯する手段と、
所要とするテナントに対応する前記テナント案内センサが選択されたとき、当該テナントの行先階の登録及び当該テナント対応の第２の照明灯を点灯させ、当該テナントに対応するテナント案内センサを照光し、既に消灯状態にあるテナント案内センサが選択されたとき、当該テナントの行先階の登録を拒否する手段とを備えたことを特徴とするエレベータのかご操作機能をもつ館内案内装置。
【請求項４】
エレベータの乗りかご内又はエレベータの乗場に設置され、テナント名が記載されるテナントごとのテナント案内センサ及びこれらセンサに対応させて取り付けられる照明灯とを有する案内板と、
テナント側に設置され、当該テナントの業務の開始及び終了に伴なう点灯・消灯要求信号を出力する業務報知ボックスと、
この業務報知ボックスから点灯・消灯要求信号を受けたとき、この点灯・消灯要求状態を保持し、所要とするテナントに対応する前記テナント案内センサが選択されたとき、前記点灯・消灯要求状態に基づいて該当するテナントに対応する照明灯を点灯し、又は消灯状態のままとする手段と
を備えたことを特徴とするエレベータのかご操作機能をもつ館内案内装置。
【請求項５】
エレベータの乗りかご内又はエレベータの乗場に設置され、テナント名が記載されるテナントごとのテナント案内センサ及びこれらセンサに対応させて取り付けられる照明灯とを有する案内板と、
テナント側に設置され、来店メッセージを出力可能なメッセージ報知ボックスと、
所要とするテナントに対応する前記テナント案内センサが選択されたとき、前記メッセージ報知ボックスに来店有り信号を送信し、前記メッセージ報知ボックスから来客有りに関連するメッセージを出力させる手段と
を備えたことを特徴とするエレベータのかご操作機能をもつ館内案内装置。
【請求項６】
エレベータの乗場に設置され、テナント名及びテナントの客入り状態を表わす文字が記載されるテナントごとのテナント案内センサ及びこれらセンサに記載されるテナント名及びテナントの客入り状態を表わす文字に対応させて取り付けられる第１、第２の照明灯とを有する案内板と、
前記テナント側に設置され、当該テナントの満席有無の状態に応じた信号を出力する客入り状態ボックスと、
この客入り状態ボックスからテナントの満席状態信号を受けたとき、当該テナントに対応する前記案内板の第２の照明灯を点灯又は点滅させる手段と、
所要とするテナントに対応する前記テナント案内センサが選択されたとき、当該テナントの行先階の登録及び当該テナント対応の第１の照明灯を点灯させる手段と
を備えたことを特徴とするエレベータのかご操作機能をもつ館内案内装置。
【請求項７】
エレベータの乗場に設置され、テナント名が記載されるテナントごとのテナント案内センサ、これらセンサに対応させて取り付けられる照明灯及び映像を表示するモニタが設けられた案内板と、
テナント側に設置され、当該テナントの状況を撮像し映像情報を送信するカメラと、
所要のテナントに対応する前記テナント案内センサが選択されたとき、前記カメラからの映像情報を前記モニタに表示するとともに、当該テナントの行先階の登録及び当該テナント対応の照明灯を点灯させ、当該テナントに対応するテナント案内センサを照光する手段と
を備えたことを特徴とするエレベータのかご操作機能をもつ館内案内装置。
【請求項８】
エレベータの乗場に設置され、テナント名が記載されるテナントごとのテナント案内センサ及びモニタセンサ、これらテナント案内センサに対応させて取り付けられる照明灯及び映像を表示するモニタが設けられた案内板と、
テナント側に設置され、当該テナントの状況を撮像し映像情報を送信するカメラと、
所要とする前記テナントのモニタセンサが選択されたとき、当該テナントに対応するカメラからの映像情報を前記モニタに表示する手段と、
所要のテナントに対応する前記テナント案内センサが選択されたとき、当該テナントの行先階の登録及び当該テナント対応の照明灯を点灯させ、当該テナントに対応するテナント案内センサを照光する手段と
を備えたことを特徴とするエレベータのかご操作機能をもつ館内案内装置。
【請求項９】
テナント名が記載されるテナントごとのテナント案内センサと、これらテナント案内センサに対応させて取り付けられる照明灯と、前記テナントごとにテナント情報を記憶する記憶手段と、この記憶手段に記憶されるテナント情報を発生する音声出力手段とを有するエレベータの乗場に設置される案内板と、
所要とする前記テナントのテナント案内センサが選択されたとき、前記記憶手段から当該テナントに対応するテナント情報を読み出して音声出力手段から出力するとともに、前記テナント案内センサに対応する照明灯を点灯させ、当該テナントの行先階の登録及び当該テナント対応の照明灯を点灯させ、当該テナントに対応するテナント案内センサを照光する手段と
を備えたことを特徴とするエレベータのかご操作機能をもつ館内案内装置。
【請求項１０】
テナント名が記載されるテナントごとのテナント案内センサ及びテナント情報聴衆用センサと、これらテナント案内センサに対応させて取り付けられる照明灯と、前記テナントごとにテナント情報を記憶する記憶手段と、この記憶手段に記憶されるテナント情報を発生する音声出力手段とを有するエレベータの乗場に設置される案内板と、
所要とするテナントに対応する前記テナント情報聴衆用センサが選択されたとき、前記記憶手段から当該テナントに対応するテナント情報を読み出して音声出力手段から出力する手段と、
所要とする前記テナントのテナント案内センサが選択されたとき、当該テナント案内センサに対応する照明灯を点灯させ、当該テナントの行先階の登録及び当該テナント対応の照明灯を点灯させ、当該テナントに対応するテナント案内センサを照光する手段と
を備えたことを特徴とするエレベータのかご操作機能をもつ館内案内装置。
【発明の詳細な説明】
【０００１】
【発明の属する技術分野】
本発明は、エレベータのかご操作機能をもつ館内案内装置に関する。
【０００２】
【従来の技術】
従来、建物内テナントの案内は、乗りかご内部でテナントを案内する場合と各階乗場でテナントを案内する場合とがある。
【０００３】
前者の乗りかご内部でテナントを案内する場合は、かご操作盤（図示せず）とは別に、乗りかご内の側板に図１０に示すような案内板が設置されている。この案内板は、テナント名が記載された乳白色のアクリル材５１を前後２枚の透明アクリル材５２，５２’で挟み込むように重ね合わせた後、枠体５３で縁取るように取り付けられた構成である。
【０００４】
ところで、この案内板の利用方法は、エレベータ利用者が案内板から目的のテナントを探し出し、そのテナントが何階にあるかを確認した後、この確認した階に基づいてかご操作盤（図示せず）上に配列される各階操作ボタンの中からテナント階に対応する階操作ボタンを探し、当該階操作ボタンを押圧操作することにより、行先階の登録を行うものである。
【０００５】
後者の各階乗場でテナントを案内する場合は、乗場側のフロア壁に前者と同様にテナント案内板と乗場操作盤が設置され、この乗場操作盤には、乗りかごの下降を登録する下降ボタン及び乗りかごの上昇を登録する上昇ボタンの他、特定のテナント行先階を指定するテナント名が記載された特定行先階ボタンが設けられ、テナント案内板を見ながら所要とするテナントの階を確認し、特定のテナントに行く場合に限り当該特定テナント名を記載する特定行先階ボタンを押圧操作すると、当該テナント行先階の呼びが登録され、行先階に運転するものである。
【０００６】
【特許文献】
特開２０００−３１８９３７号公報（図１）
【０００７】
【発明が解決しようとする課題】
ところで、以上のような案内板ないし案内装置においては、それぞれ以下のような問題点が指摘されている。
【０００８】
（１）  乗りかご内部からテナントを案内する案内板の場合。
【０００９】
ａ．案内板に記載される各テナントの中から目的のテナントを探し出した後、そのテナントが何階かを確認し、さらにかご操作盤上からテナント階ボタンを探し出し、当該ボタンを押圧操作することにより、行先階を登録するので、登録操作が非常に煩わしい。
【００１０】
ｂ．また、建物の階数が多くなってくると、かご操作盤と案内板がかごドアを挟んで両側に取り付けなければならず、益々所要とするテナントの行先階登録の操作が難しくなる。
【００１１】
ｃ．乗りかご内に多数のエレベータ利用者が乗った際、案内板とかご操作盤との対応関係をとりながら行先階の登録操作を行うので、利用者間で混乱を起こすことが予想される。
【００１２】
（２）  乗場からテナントを案内する案内装置の場合。
【００１３】
ａ．乗場側の特定行先階ボタンを操作したとき、特定行先階の呼び登録となるが、確実に登録されているか否かを確認できない。
【００１４】
ｂ．また、特定行先階ボタンを操作したとき、特定階のテナントの状態が不明であるので、当該テナントが満席状態であったり、テナントが業務終了であっても、エレベータ利用者は該当テナント階まで行く必要があり、例えば目的のテナント階に行っところが満席の状態であるとき、再度目的階を変更せざるを得ない状態が発生し、エレベータの運用効率が非常に悪くなる。
【００１５】
本発明は以上のような事情にかんがみてなされたもので、乗りかご内にかご操作機能をもつ行先階登録の確認及び所要の行先階を照光し、登録操作の簡素化及び行先階への円滑な運用を確保するエレベータのかご操作機能をもつ館内案内装置を提供することを目的とする。
【００１６】
また、本発明の他の目的は、乗場又は乗りかごとテナントとの連係を図り、エレベータ利用者がテナントの状況に応じて行先階の変更を可能とし、ひいてはエレベータの運用効率を向上させるエレベータのかご操作機能をもつ館内案内装置を提供することにある。
【００１７】
【課題を解決するための手段】
（１）  上記課題を解決するために、本発明に係るエレベータのかご操作機能をもつ館内案内装置は、乗りかご内に、テナント名が記載されるテナントごとのテナント案内センサ及びこれらセンサに対応させて取り付けられる照明灯とを有する案内板を設置し、所要とするテナントに対応するテナント案内センサ選択時に制御盤を介して当該テナント階を行先階として登録するとともに、案内板のテナント対応の照明灯を点灯し、所要とするテナント名が記載されるテナント案内センサを照光することにより、エレベータ利用者が確実に所要のテナント階の登録がなされたことを確認し、テナント階に行くことを把握可能にした構成である。
【００１８】
従って、このような構成にすることにより、エレベータ利用者が所要とするテナント対応のテナント案内センサを選択するだけで、当該センサ対応の照明灯が点灯し、当該テナント階が登録されたことを知らせるだけでなく、該当テナント案内センサの照光により、確実に所要とするテナントに行くことをエレベータ利用者に通知できる。
【００１９】
（２）  エレベータの乗場側に設置される案内板に、テナント内の客入り状態を知らせるとか、業務終了を知らせるとか、客入り状態の映像情報を送信するとか、或いは乗場側から所要のテナントに来店することを知らせるなど、案内板とテナント側との連係を取るようにすれば、乗りかごを無駄に運用することが少なくなり、エレベータの効率的な運用を図ることが可能となる。
【００２０】
【発明の実施の形態】
以下、本発明の実施の形態について図面を参照して説明する。
【００２１】
（第１の実施の形態）
図１及び図２は本発明に係わるエレベータのかご操作機能をもつ館内案内装置の一実施の形態を示す制御系統図および構成図である。
【００２２】
これらの図において、１はエレベータの乗りかごであって、この乗りかご１の例えばかごドア（図示せず）に隣接する側板等の適宜な高さに案内板２が取り付けられている。この案内板２はエレベータ利用者による行先階の指定によりエレベータの乗りかご１を指定された行先階に昇降する昇降制御及びかご設備の必要な制御を実施する制御情報を送出する制御盤３に接続されている。
【００２３】
この案内板２は、建物の各階に入っているテナントのテナント名が記載され、かつ、階順序に従って配列されるかご操作機能をもつテナント案内センサ１１１，１１２，１１３，…と、かご内の側板などに取り付けられ、テナント案内センサ１１１，１１２，１１３，…を縁取るように取り付ける枠体１２と、この枠体１２内に取り付けられ、所要のテナント案内センサが選択されたとき、制御盤３を介して送られてくる各階対応の点灯制御信号に基づいて選択的に所要電力を供給するリレー，スイッチを含む電源供給制御部（図示せず）と、この電源供給制御部から供給される電力によって点灯する白熱電球，蛍光灯を含むテナント対応の照明灯１３とが設けられている。なお、テナント案内センサ１１１，１１２，１１３，…は、単純な押圧式、タッチ式或いは人間の手が近づいたとき動作する静電式の何れのセンサを用いてもよい。また、各案内センサ１１１，１１２，１１３，…はテナント名だけでなく、必要に応じて何階かを表わす階数も記載されている。
【００２４】
また、案内板２には、テナント案内センサ１１１，１１２，１１３，…の他にエレベータ利用者の選択によって出入口階を登録する出入口案内センサ１４が配列されている。
【００２５】
さらに、１つつの階に複数のテナントが入っている場合、複数のテナント名が記載された１つのテナント案内センサ或いはテナントごとに区分された複数のテナント案内センサが配列される場合もある。この場合、横方向或いは上下方向に複数のテナント案内センサが配列される。
【００２６】
次に、以上のようなエレベータのかご操作機能をもつ館内案内装置の動作について説明する。
【００２７】
エレベータ利用者は、エレベータの乗りかご１に乗った後、あるテナント例えば××レストランに行きたい場合、当該××レストランが記載されたテナント案内センサ例えば１１３に触れると、通常のかご操作盤と同様にレストランの入っている行先階登録要求信号が出力され、制御盤３に送られる。この制御盤３は、案内板２から送られてくる階登録要求信号を受取ると、レストランが入っている行先階の登録を行った後、××レストランのテナント案内センサ例えば１１３に対応する照明灯１３を点灯するための階データを含む点灯制御信号を案内板２に送信するとともに、該当エレベータの乗りかご１に行先階の移動指示を出す。
【００２８】
この案内板２は、電源供給制御部で点灯制御信号を受信すると、該当する電源ラインを選択形成し、××レストランが記載されるテナント案内センサ例えば１１３に対応する照明灯１３を点灯する。
【００２９】
その結果、エレベータ利用者は、××レストランに対応する照明灯１３の照光により、××レストランの入っている行先階の登録を確認できる。図２（ｂ）はエレベータ利用者が××レストランのテナント案内センサ例えば１１３の照光状態を示している。
【００３０】
なお、エレベータ利用者が出入口のテナント案内センサ１４に触れた場合、出入口のある階が行先階として登録され、出入口のテナント案内センサ１４が照光するとともに、かごが出入口階に移動する。
【００３１】
従って、以上のような実施の形態によれば、エレベータ利用者が行きたいテナントに対応するテナント案内センサに例えば触れるだけで、そのテナントの行先階を制御盤３に登録するとともに、当該テナント案内センサが照光するので、テナント行先階が登録されたことを確認でき、またエレベータ利用者に該当テナント行先階に確実に行くことを通知できる。
【００３２】
なお、上記実施の形態は、照明灯１３が常時消灯状態にあり、特定のテナント案内センサに触れたときに当該テナント案内センサに対応する照明灯１３が点灯するようにしたが、例えば図３に示すような構成であってもよい。
【００３３】
この図３に示す案内板２は、各テナント案内センサ１１１，１１２，１１３，…ごとに第１の照明灯１３及び第２の照明灯１５が設けられ、常時は図３（ａ）に示すように各テナント案内センサ１１１，１１２，１１３，…ごとに第１の照明灯１３が点灯状態にあって各テナントを案内する一方、所要とするテナントが記載されたテナント案内センサに触れたとき、前述するように通常のかご操作盤と同様にテナント行先階の登録を行うとともに、同図（ｂ）に示すごとく当該テナント案内センサに対応する第２の照明灯１５を点灯し、さらに選択されたテナント案内センサを明るく照光することにより、テナント行先階の登録確認及び当該テナント階に行くことを容易に把握できる。
【００３４】
（第２の実施の形態）
図４は本発明に係わるエレベータのかご操作機能をもつ館内案内装置の他の実施の形態を示す構成図である。
【００３５】
この実施の形態は、エレベータ利用者に建物の各テナントが業務を行っているか否かを知らせる例である。
【００３６】
この館内案内装置は、乗りかご１のかごドア（図示せず）に隣接する側板等の適宜な高さに案内板２が取り付けられ、この案内板２には、図３と同様に各テナント案内センサ１１１，１１２，１１３，…ごとに第１の照明灯１３及び第２の照明灯１５が設けられている。
【００３７】
また、テナント４側には業務報知ボックス５が設置され、これら案内板２及び業務報知ボックス５がともにケーブルを介して制御盤３に接続されている。
【００３８】
テナント４側の業務報知ボックス５は、業務開始時に従業員の操作によって点灯要求信号を制御盤３に送出し、また業務終了時に従業員の操作によって消灯要求信号を制御盤３に送出する業務開閉スイッチ２１と、このスイッチ２１の操作に連動して点灯・消灯するランプ２２とが設けられている。
【００３９】
この制御盤３は、業務開閉スイッチ２１のオン操作によって業務報知ボックス５から点灯要求信号を受けたとき、該当テナントが記載されるテナント案内センサに対応する第１の照明灯１３を点灯させるための点灯制御信号を案内板２に送出し、該当する第１の照明灯１３を点灯する。また、制御盤３は、業務終了による業務開閉スイッチ２１のオフ操作によって業務報知ボックス５から消灯要求信号を受けたとき、該当テナントが記載されたテナント案内センサに対応する第１の照明灯１３を消灯させる消灯制御信号を案内板２に送出する機能をもっている。
【００４０】
以上のように構成されたエレベータのかご操作機能をもつ館内案内装置の動作について説明する。
【００４１】
テナント４の業務が開始する際、当該テナントの従業員が業務報知ボックス５の業務開閉スイッチ２１をオン操作すると、業務報知ボックス５から点灯要求信号が制御盤３に送られる。制御盤３は、点灯要求信号を受け付けると、図示しない記憶手段の該当テナント対応エリアに例えばフラグ「１」を設定するとともに、該当テナント案内センサに対応する第１の照明灯１３を点灯させるための点灯制御信号を案内板２に送出する。
【００４２】
この案内板２は、電源供給制御部で点灯制御信号を受信すると、該当するテナントに対応する電源ラインを選択形成し、業務開閉スイッチ２１をオン操作したテナント案内センサに対応する第１の照明灯１３を点灯する。
【００４３】
一方、テナント４の業務が終了する際、当該テナントの従業員が業務報知ボックス５の業務開閉スイッチ２１をオフ操作すると、業務報知ボックス５から消灯要求信号が制御盤３に送られる。制御盤３は、消灯要求信号を受け付けると、図示しない記憶手段の該当テナント対応エリアのフラグ「１」を「０」に設定するとともに、該当テナント案内センサに対応する第１の照明灯１３を消灯させるための消灯制御信号を案内板２に送出し、業務開閉スイッチをオフ操作したテナント案内センサの第１の照明灯１３が消灯する。
【００４４】
従って、各テナント４の業務が行われている限り、第１の照明灯１３は常時照光状態となっている。この状態において、エレベータ利用者があるテナントに行きたい場合は該当テナント案内センサに触れると、図３と同様にテナント案内センサに対応する第２の照明灯１５が点灯し、より明るい状態に照光することにより、エレベータ利用者は、所要のテナント行先階の登録とともに、当該テナントの階に行くことを把握できる。
【００４５】
さらに、消灯状態にあるテナント案内センサに触れた場合、点灯要求信号を送出するが、制御盤３は、該当テナント対応エリアのフラグが「０」，つまりテナントの業務が終了しているので、点灯要求を拒否し、消灯状態を保持するとともに、当該行先階に１つのテナントだけが入っている場合には行先階の登録も拒否する。
【００４６】
従って、以上のような実施の形態によれば、前述する第１の実施の形態と同様な効果の他に、案内板２のあるテナント案内センサの消灯により、エレベータ利用者は既に業務が終了していることが分るので、別のテナントを探すことになり、エレベータの無駄な利用がなくなる。
【００４７】
なお、上記実施の形態は、テナント業務開始後に第１の照明灯１３が常時点灯状態にあり、エレベータ利用者がテナント案内センサに触れたとき、第２の照明灯１５を点灯するようにしたが、例えば案内板２側に一種類の照明灯１３しか取り付けられていない場合は、テナントの従業員が業務報知ボックス５の業務開閉スイッチ２１をオン操作したとき、制御盤３は、点灯要求信号を受け付けて該当テナント対応エリアにフラグ「１」を設定するが、照明灯１３を点灯しない。エレベータ利用者が該当テナント案内センサに触れた場合のみ、制御盤３は、フラグの状態から該当テナントが業務を開始していると判断し、該当テナントの照明灯１３を点灯するとともに、テナント行先階の登録を行い、エレベータの乗りかごを移動させることもできる。なお、テナントの業務が終了している場合、制御盤３は、消灯要求信号を受け付けて該当テナント対応エリアにフラグ「０」を設定しているので、該当テナント案内センサに触れた場合でも、該当テナントのテナント行先階の登録及び当該テナントに対応する照明灯１３の点灯を拒否するものである。
【００４８】
（第３の実施の形態）
図５は本発明に係わるエレベータのかご操作機能をもつ館内案内装置のさらに他の実施の形態を示す構成図である。
【００４９】
この実施の形態は、建物に入っているテナントに来客状態を知らせる例である。
【００５０】
この館内案内装置は、から乗りかご１のかごドア（図示せず）に隣接する側板等の適宜な高さに案内板２が取り付けられ、この案内板２には、図２と同様に各テナント案内センサ１１１，１１２，１１３，…ごとに照明灯１３が設けられている。
【００５１】
また、テナント４側にはメッセージ報知ボックス７が設けられ、このメッセージ報知ボックス７にはメッセージデータを記憶するメッセージデータ記憶手段２６、メッセージを音声出力するメッセージ出力手段２７及びランプ２８が設けられている。そして、これら案内板２とメッセージ報知ボックス７は制御盤３を介して接続されている。
【００５２】
以上のようなエレベータのかご操作機能をもつ館内案内装置の動作について説明する。
【００５３】
エレベータ利用者は、エレベータの乗りかご１に乗った後、あるテナント例えば××レストランに行きたい場合、当該××レストランが記載されるテナント案内センサ例えば１１３に触れると、通常のかご操作盤と同様にレストランの入っている階を行先階とする階登録要求信号が出力され、制御盤３に送られる。この制御盤３は、案内板２から階登録要求信号を受付けると、行先階の登録を行い、該当テナントのテナント案内センサ例えば１１３に対応する照明灯１３を点灯するとともに、かごに対してテナント行先階への移動を指示する。また、制御盤３は、階登録要求信号を受付けると、来客有り信号を該当テナント４側のメッセージ報知ボックス７に送出する。ここで、メッセージ報知ボックス７は、ランプ３３を点灯するとともに、メッセージデータ記憶手段３１からメッセージデータを読み出し、メッセージ出力手段３２から例えば「ピンポーン」とか、或いは「来客有り」の音声メッセージ信号を報知する。
【００５４】
従って、以上のような実施の形態によれば、第１の実施の形態と同様の効果を奏する他、予め館内のテナントに来客有りの状態を報知するので、テナント側では来客の応対その他の準備を滞りなく進めることができ、サービスの向上に貢献することができる。
【００５５】
（第４の実施の形態）
図６は本発明に係わるエレベータのかご操作機能をもつ館内案内装置のさらに他の実施の形態を示す構成図である。
【００５６】
この実施の形態は、エレベータ利用者にテナントの客入り状態を知らせる例である。
【００５７】
この館内案内装置は、各階乗場３１に設置される乗場ドア３２の一側部壁面に案内板２が取り付けられている。３３は三方枠である。
【００５８】
この案内板２は、図１と同様にテナント名及び満席有無が記載されたかご操作機能をもつテナント案内センサ１１１，１１２，１１３，…と、これらテナント案内センサ１１１，１１２，１１３，…を縁取るように取り付ける枠体１２と、この枠体１２内に取り付けられ、所要のテナント案内センサが選択されたとき、制御盤３を介して送られてくる各階対応の点灯制御信号に基づいて選択的に所要電力を供給するリレー，スイッチを含む電源供給制御部（図示せず）と、この電源供給制御部から供給される電力によって点灯する白熱電球，蛍光灯を含むテナント対応の照明灯１３と、各テナント案内センサ１１１，１１２，１１３，…の満席状態を記載する部分に対応して設けられ、満席状態の際に点滅する客入り表示ランプ３４とが設けられている。
【００５９】
一方、テナント４側には、客入り状態ボックス３５が設置されている。この客入り状態ボックス３５は、テナント内が満席状態の場合にオン操作により満席状態信号を送出する客入り状態スイッチ３６が設けられている。
【００６０】
これら案内板２と客入り状態ボックス３５は制御盤３を介して接続されている。
【００６１】
以上のような装置の動作について説明する。
【００６２】
テナント４側では、客の入り状態、つまり満席で客を待たせるような状態の場合、客入り状態ボックス３５の客入り状態スイッチ３６をオン操作すると、満席状態信号が制御盤３に送出される。ここで、制御盤３は、テナントごとに満室状態フラグを設定するエリアがあるので、満席状態信号に基づいて例えばレストランのテナントに対応するエリアに「１」を設定するとともに、点滅制御信号を案内板２に送信する。案内板２は、電源供給制御部で点滅制御信号を受信すると、客入り表示ランプ３４を点滅又は点灯し満席状態にあることを表示する。よって、エレベータ利用者は、客入り表示ランプ３４の点滅又は点灯により満席状態を知ることができ、待つのが嫌なエレベータ利用者の場合には別のテナントに変更するので、エレベータの運用効率を上げることができる。
【００６３】
一方、エレベータ利用者は、満室状態でも該当レストランに行きたい場合、当該××レストランが記載されたテナント案内センサ例えば１１３に触れると、通常のかご操作盤と同様にレストランの入っている行先階登録要求信号が出力され、制御盤３に送られる。この制御盤３は、案内板２から送られてくる階登録要求信号を受取ると、行先階の登録を行って乗りかごに移動指示を出すとともに、行先階を表わすデータを含む点灯制御信号を案内板２に送信する。ここで、案内板２は、電源供給制御部で点灯制御信号を受信すると、照明灯１３を点灯する。その結果、エレベータ利用者は、照明灯１３の点灯により、行先階の登録を確認するとともに、当該テナント行先階に確実に行くことを把握できる。
【００６４】
テナント側において空席が出てきた場合、客入り状態スイッチ３６をオフ操作を行うと、制御盤３の該当フラグ「１」が「０」に設定され、また制御盤３から案内板２に消灯制御信号が送出され、客入り表示ランプ３４が消灯する。従って、エレベータ利用者はテナントに行く前に各テナントの客入り状態が分り、目的とするテナントないし行先階に確実に行って着席することが可能となる。
【００６５】
なお、この実施の形態では、各テナントごとに一種類の照明灯１３を設けた例について説明したが、図３に示すように第１の照明灯１３、第２の照明灯１５を設けた場合にも同様に適用できる。その詳しい説明は図３の説明に譲る。
【００６６】
また、各階乗場３１に設置される乗場ドア３２の一側部壁面に案内板２について、第２の実施の形態を適用してもよい（図４参照）。詳しくは第２の実施の形態の説明に譲る。
【００６７】
従って、この館内案内装置においては、エレベータ利用者は、乗場側で予め所要とするテナントが業務を行っているか否かを把握できるので、エレベータを利用して無駄にそのテナントに行く必要がなくなり、行先テナントの変更等によってエレベータを効率的に利用することができる。
【００６８】
さらに、各階乗場３１に設置される乗場ドア３２の一側部壁面に案内板２について、第３の実施の形態を適用してもよい（図５参照）。詳しくは第３の実施の形態の説明に譲る。
【００６９】
従って、このこの館内案内装置においては、エレベータ利用者は、所要とするテナントに対応するテナント案内センサに触れると、メッセージ報知ボックス７のメッセージ出力手段３２から来客有りの状態を報知するので、テナント側では来客の応対その他の準備を滞りなく進めることができ、サービスの向上に貢献することができる。
【００７０】
（第５の実施の形態）
図７は本発明に係わるエレベータのかご操作機能をもつ館内案内装置のさらに他の実施の形態を示す構成図である。
【００７１】
この実施の形態は、エレベータ利用者にテナント内の状態を見せる例である。
【００７２】
この館内案内装置は、  各階乗場３１に設置される乗場ドア３２の一側部壁面に案内板２Ａが取り付けられている。３３は三方枠である。
【００７３】
この案内板２Ａは、図１と同様にテナント名が記載されたかご操作機能をもつテナント案内センサ１１１，１１２，１１３，…と、これらテナント案内センサ１１１，１１２，１１３，…を縁取るように取り付ける枠体１２と、この枠体１２内に取り付けられ、所要のテナント案内センサが選択されたとき、制御盤３を介して送られてくる各階対応の点灯制御信号に基づいて選択的に所要電力を供給するリレー，スイッチを含む電源供給制御部（図示せず）と、この電源供給制御部から供給される電力によって点灯する白熱電球，蛍光灯を含むテナント対応の照明灯１３と、この枠体１２の一側部に隣接して取り付けられ、テナント内の状態を表示する例えば液晶表示器などのモニタ４１とが設けられている。
【００７４】
一方、テナント４側には、常時，テナント内の状態を表わす映像情報を取込んで制御盤３に送信するカメラ４２が設置されている。制御盤３は、エレベータ利用者が例えばレストランのテナントに対応するテナント案内センサ１１３に触れたとき、案内板２Ａから通常のかご操作盤と同様にレストランの入っている行先階登録要求信号が出力され、制御盤３に送られる。この制御盤３は、案内板２から送られてくるかご呼び及び階登録要求信号を受取ると、レストランが入っている行先階の登録を行った後、××レストランのテナント案内センサ例えば１１３又は行先階を表わすデータを含む点灯制御信号を案内板２に送信し、かつ、該当エレベータの乗りかご１に対してかご呼びの乗場への移動指示を出すとともに、カメラ４２から送信されてくる映像情報を案内板２Ａに送信する。
【００７５】
この案内板２は、テナントの映像情報及び点灯制御信号を受信すると、モニタ４１にテナント内の状況を映し出すとともに、当該テナントに対応する電源ラインを選択形成し、××レストランが記載されるテナント案内センサ例えば１１３に対応する照明灯１３を点灯する。
【００７６】
ここで、当該テナントを選択したエレベータ利用者は、テナント内の状況を観察し、例えば混雑しているような場合には速やかに別のテナントに変更することができる。
【００７７】
なお、この実施の形態では、××レストランのテナント案内センサ例えば１１３に触れると、かご呼び及び行先階登録を行ってしまい、別のテナントに変更した場合でも乗りかご１が登録されている行先階に移動することになるが、例えば図８に示すように各テナントごとにテナント案内センサ１１１，１１２，１１３，…とモニタセンサ４３１，４３２，４３３，…とを対となるように配置し、所要とするテナントを見たいとき、その見たいテナントに対応するモニタセンサ例えば４３３に触れ、モニタ４１にてテナントの状態を見た後にテナント案内センサ１１３に触れるようにすれば、確実に入ろうとするテナントだけに絞り込んでかご呼び及び行先階の登録を行うことが可能となり、益々エレベータの運用効率を高めることが可能となる。
【００７８】
（第６の実施の形態）
図９は本発明に係わるエレベータのかご操作機能をもつ館内案内装置のさらに他の実施の形態を示す構成図である。
【００７９】
この実施の形態は、エレベータ利用者にテナント情報（例えばサービス内容等）を報知する例である。
【００８０】
この案内板２Ｂは、図１と同様にテナント名が記載されたかご操作機能をもつテナント案内センサ１１１，１１２，１１３，…と、これらテナント案内センサ１１１，１１２，１１３，…を縁取るように取り付ける枠体１２と、この枠体１２内に取り付けられ、所要のテナント案内センサが選択されたとき、制御盤３を介して送られてくる各階対応の点灯制御信号に基づいて選択的に所要電力を供給するリレー，スイッチを含む電源供給制御部（図示せず）と、この電源供給制御部から供給される電力によって点灯する白熱電球，蛍光灯を含むテナント対応の一種類又は複数種類の照明灯１３又は１３，１５と、この枠体１２の一側部または両側部に取り付けられ、テナント案内センサ１１１，１１２，１１３，…触れたとき、テナント情報を音声出力する音声発生器４６と、テナントごとのテナント情報を記憶する記憶手段（図示せず）と、テナント案内センサ１１１，１１２，１１３，…の選択に基づいて記憶手段から該当テナントのテナント情報を読み出して音声出力するＣＰＵなどの制御処理手段とが設けられている。
【００８１】
なお、テナント案内センサ１１１，１１２，１１３，…触れたとき、前述したように該当テナントのテナント情報を出力するだけでなく、同時にかご呼び及び行先階登録要求信号が出てしまい、テナント情報を聞いた後に別のテナントに変更した場合でも乗りかご１が既に登録されている行先階に移動することになるが、例えば図８に示すように各テナントごとにテナント案内センサ１１１，１１２，１１３，…と対となるようにテナントごとのテナント情報聴衆用センサを設けておけば、このテナント情報聴衆用センサによりテナント情報だけを聞いて、テナント案内センサ１１１，１１２，１１３，…を選択することが可能である。
【００８２】
なお、本願発明は、上記実施の形態に限定されるものでなく、その要旨を逸脱しない範囲で種々変形して実施できる。
【００８３】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００８４】
【発明の効果】
以上説明したように本発明によれば、乗りかご内から所要のテナントを選択するだけで、当該テナントの行先階の登録の確認および確実に所要とするテナントが選択されたことを把握でき、登録操作の簡素化及び目的階への円滑な運用を確保できるエレベータのかご操作機能をもつ館内案内装置を提供できる。
【００８５】
また、本発明は、乗場又は乗りかごとテナントとの連係を図り、エレベータ利用者がテナントの状況に応じて容易に行先階の変更でき、ひいてはエレベータの運用効率を向上できるエレベータのかご操作機能をもつ館内案内装置を提供できる。
【図面の簡単な説明】
【図１】本発明に係るエレベータのかご操作機能をもつ館内案内装置を適用した系統構成図。
【図２】本発明に係るエレベータのかご操作機能をもつ館内案内装置の一実施の形態を示す構成図。
【図３】本発明に係るエレベータのかご操作機能をもつ館内案内装置の他の実施の形態を示す構成図。
【図４】本発明に係るエレベータのかご操作機能をもつ館内案内装置の更に他の実施の形態を示す系統構成図。
【図５】本発明に係るエレベータのかご操作機能をもつ館内案内装置の更に他の実施の形態を示す系統構成図。
【図６】本発明に係るエレベータのかご操作機能をもつ館内案内装置の更に他の実施の形態を示す系統構成図。
【図７】本発明に係るエレベータのかご操作機能をもつ館内案内装置の更に他の実施の形態を示す系統構成図。
【図８】図７に示す館内案内装置の他の形態例を説明する。
【図９】本発明に係るエレベータのかご操作機能をもつ館内案内装置の更に他の実施の形態を示す系統構成図。
【図１０】乗りかご内に設置した従来の案内板の構成図。
【符号の説明】
１…乗りかご
２，２Ａ，２Ｂ…案内板
３…制御板
４…テナント
５…業務報知ボックス５
７…メッセージ報知ボックス
１１１，１１２，１１３…テナント案内センサ
１２…枠体
１３…第１の照明灯
１４…出入口案内センサ
１５…第２の照明灯
２１…業務開閉スイッチ
２７…メッセージ出力手段２７
３１…乗場
３２…乗場ドア
３３…三方枠
３４…客入り表示ランプ
３５…客入り状態ボックス
３６客入り状態スイッチ
４１…モニタ
４２…カメラ
４３１，４３２，４３３，…モニタセンサ
４６…音声発生器
【図１】
2004161434.tif 000003
【図２】
2004161434.tif 000004
【図３】
2004161434.tif 000005
【図４】
2004161434.tif 000006
【図５】
2004161434.tif 000007
【図６】
2004161434.tif 000008
【図７】
2004161434.tif 000009
【図８】
2004161434.tif 000010
【図９】
2004161434.tif 000011
【図１０】
2004161434.tif 000012